(57)【要約】  【課題】  複数の空冷ファンを備えた電子機器において、一方の空冷ファンが停止した場合にも内部で発生する熱の冷却効率を損ないにくい電子機器を提供する。  【解決手段】  複数の空冷ファンを備えた電子機器において、複数の空冷ファンの各々１３，１４の外側に、各々の遮蔽板１５，１６を設け、各々の空冷ファンの動作時には各々の遮蔽板を開放状態とし、各々の空冷ファンの一方の停止時には当該停止した空冷ファンに設けた遮蔽板を閉塞状態とすることを特徴とする。【選択図】図１
2006261276.tif 000002
【特許請求の範囲】
【請求項１】
複数の空冷ファンを備えた電子機器において、前記複数の空冷ファンの各々の外側に、各々の遮蔽板を設け、前記各々の空冷ファンの動作時には前記各々の遮蔽板を開放状態とし、前記各々の空冷ファンの一方の停止時には当該停止した前記空冷ファンに設けた前記遮蔽板を閉塞状態とすることを特徴とする電子機器。
【請求項２】
複数の空冷ファンを備えた電子機器において、前記複数の空冷ファンの各々の外側に、各々の遮蔽板を設け、前記各々の空冷ファンの空冷ファン吐き出し動作により前記各々の遮蔽板が開放され、前記各々の空冷ファンの一方が停止の場合には、他の前記空冷ファンの動作中の空冷ファン吐き出し動作により、当該停止した前記空冷ファンが低圧による吸い込み動作とすることで当該停止した前記空冷ファンに設けた前記遮蔽板が閉塞状態とされることを特徴とする電子機器。
【発明の詳細な説明】
【技術分野】
【０００１】
本発明は、複数の空冷ファンを備えた電子機器例えば電力増幅器に関する。
【背景技術】
【０００２】
図６と図７は従来の複数の空冷ファンを備えた電力増幅器の構成図である（文献公知発明に係るものではない）。図６は複数の空冷ファンの動作が正常時の（ａ）正面図、（ｂ）平面図、（ｃ）背面図である。また図７は複数の空冷ファンのうち一方の空冷ファンの動作が停止し、他方の空冷ファンの動作が正常時の（ａ）正面図、（ｂ）平面図、（ｃ）背面図である。
【０００３】
電力増幅器１０はその正面に吸気口１１を備え、その背面にチャンバー１２とその外側に複数の空冷ファン１３，１４を備えた。
【０００４】
図６に示すように、空冷ファン１３および空冷ファン１４の動作が正常時は、正面に備えた吸気口１１から吸気された大気はそのまま電力増幅器１０内を通過し、チャンバー１２を通過し、空冷ファン１３および空冷ファン１４それぞれから排気される（なお風の流れを風の流れａで示した）。このとき、電力増幅器１０から発生する熱により吸気された大気は熱せられ、吸気温度より温度が上昇した状態で排気される。
【０００５】
一方、図７に示すように、空冷ファン１３の動作が停止、空冷ファン１４の動作が正常状態の場合について説明する。空冷ファン１３が停止しているため、正面に備えた吸気口１１から吸気される大気は電力増幅器１０内の吸気圧損の影響もあり空冷ファン１３の動作が正常時に比べて減少し（各々の風の流れを風の流れａ、風の流れｂで示した）、また、停止している空冷ファン１３から本来排気される風の向きと逆向きに大気が吸気され（風の流れを風の流れｃで示した）、その大気が電力増幅器１０内を通過せずに、チャンバー１２内を通過して空冷ファン１４から排気される。
【０００６】
なお複数の空冷ファンを備えた電子機器としては、例えば弊社出願の特開２００４−１８７１６６号公報（特許文献１）があるが、複数の空冷ファンのうち一方の空冷ファンの動作が停止することについてはふれていない。
【０００７】
【特許文献１】特開２００４−１８７１６６号公報
【発明の開示】
【発明が解決しようとする課題】
【０００８】
電力増幅器は、テレビジョン放送用の送信機に搭載するものであり、放送が中断することなく信号を随時送信し続ける必要があるため、電力増幅器に内蔵する空冷ファンの故障等が発生しても電力増幅器の運用が停止することはあってはならないことである。しかし、従来技術では、空冷ファンが停止することで、電力増幅器内の温度が上昇して動作異常が発生し、放送の運用に支障をきたす可能性が大きかった。
【０００９】
複数の空冷ファンを備えた電力増幅器において、一方の空冷ファンが停止すると、本来電力増幅器内を通過し内部で発生する熱を吸収する必要があるのに対し、該熱を吸収しない風の向きが発生するため、冷却効果を著しく低下させてしまう課題がある。また、その結果、内部の冷却効果不足により発生した熱による損失が増大し、電力効率が低下するばかりか、使用部品の定格温度を超過し、部品を破壊してしまう恐れがある。
【００１０】
本発明の目的は、複数の空冷ファンを備えた電子機器において、一方の空冷ファンが停止した場合にも内部で発生する熱の冷却効率を損ないにくい電子機器を提供することにある。
【課題を解決するための手段】
【００１１】
本発明は、複数の空冷ファンを備えた電子機器において、前記複数の空冷ファンの各々の外側面に、各々の遮蔽板を設け、前記各々の空冷ファンの動作時には前記各々の遮蔽板を開放状態とし、前記各々の空冷ファンの一方の停止時には当該停止した前記空冷ファンに設けた前記遮蔽板を閉塞状態とすることを特徴とする。
【００１２】
また本発明は、複数の空冷ファンを備えた電子機器において、前記複数の空冷ファンの各々の外側面に、各々の遮蔽板を設け、前記各々の空冷ファンの空冷ファン吐き出し動作により前記各々の遮蔽板が開放され、前記各々の空冷ファンの一方が停止の場合には、他の前記空冷ファンの動作中の空冷ファン吐き出し動作により、当該停止した前記空冷ファンが低圧による吸い込み動作とすることで当該停止した前記空冷ファンに設けた前記遮蔽板が閉塞状態とされることを特徴とする。
【発明の効果】
【００１３】
本発明によれば、複数の空冷ファンを備えた電子機器において、一方の空冷ファンが停止した場合にも内部で発生する熱の冷却効率を損ないにくい電子機器を得ることができる。
【発明を実施するための最良の形態】
【００１４】
図１〜図５は本発明による複数の空冷ファンを備えた電力増幅器の実施の形態の構成図である。以下各図について、詳述する。
【００１５】
図１は複数の空冷ファンの動作が正常時の（ａ）正面図、（ｂ）平面図、（ｃ）背面図である。また図２は複数の空冷ファンのうち一方の空冷ファンの動作が停止し、他方の空冷ファンの動作が正常時の（ａ）正面図、（ｂ）平面図、（ｃ）背面図である。図３は参考として複数の空冷ファンを備えた電力増幅器で遮蔽版がなく且つ一方の空冷ファンの動作が停止した場合の（ａ）正面図、（ｂ）平面図、（ｃ）背面図である。
【００１６】
図１，図２において、電力増幅器１０は複数の空冷ファン１３，１４の各々の外側に、各々の遮蔽板１５，１６を設けた。遮蔽板１５，１６は空冷ファン１３および空冷ファン１４の動作が正常か停止かによってその位置が異なる。
【００１７】
図１は空冷ファン１３および空冷ファン１４の動作がそれぞれ正常時の状態を示す。このとき遮蔽板１５，１６は開放状態とする。空冷ファン１３および空冷ファン１４の動作が正常時は、正面に備えた吸気口１１から吸気された大気が電力増幅器１０内を通過するが、その際、吸気された大気は電力増幅器１０から発生する熱で熱せられ、吸気温度より排気温度が上昇した状態で、チャンバー１２を通過し、空冷ファン１３および空冷ファン１４それぞれから排気される。このとき発生する風の流れは、風の流れａである。
【００１８】
次に、空冷ファン１３の動作が停止、空冷ファン１４の動作が正常時の状態を説明する。
【００１９】
本発明の遮蔽板１５，１６がない場合が図３であり、この場合は正面に備えた吸気口１１から吸気された大気は図１と同様に電力増幅器１０内で熱せられるが、空冷ファン１３が停止しているため、空冷ファン１４からのみ排気される。このときの風の流れは、風の流れａおよび風の流れｂである。ここで、停止状態の空冷ファン１３からも大気は吸気され、電力増幅器１０内は通過せず、チャンバー１２のみを通過し、空冷ファン１４から排気される。このときの風の流れは、風の流れｃである。
【００２０】
したがって、空冷ファン１４からは電力増幅器１０内を通過する際に電力増幅器１０内で熱せられた大気（風の流れａ、風の流れｂ）と、電力増幅器１０内を通過せず熱せられていない大気（風の流れｃ）とが合成されて排気されることとなる。
【００２１】
それに対して図２は、空冷ファン１３の動作が停止、空冷ファン１４の動作が正常時のときの、本発明による複数の空冷ファンを備えた電力増幅器の実施の形態の構成である。このとき遮蔽板１５は閉塞状態とし、遮蔽板１６は開放状態とする。
【００２２】
したがってこの場合、空冷ファン１３の吐き出し口１７が塞がれた状態で、空冷ファン１４の吐き出し口１８が塞がれていない。正面に備えた吸気口１１から吸気された大気は図１と同様に電力増幅器１０内で熱せられるが、空冷ファン１３が停止しているため、空冷ファン１４からのみ排気される。このときの風の流れは、風の流れａおよび風の流れｂである。
【００２３】
ここで、図３の場合に発生していた停止した空冷ファン１３からの吸気（風の流れｃ）は、図２の場合には空冷ファン１３の吐き出し口１７に遮蔽板１５が設けられているため発生せず、電力増幅器１０内を通過する際に電力増幅器１０内で熱せられた大気のみがチャンバー１２を通過し、空冷ファン１４から排気される。
【００２４】
これにより、空冷ファン１３の吐き出し口１７に遮蔽板１５がない場合と比較して、電力増幅器１０内の発熱素子の上昇温度が低下する。
【００２５】
以下に確認データの実施例を示す。電力増幅器１０内の発熱素子はＭＯＳ−ＦＥＴとし、ＭＯＳ−ＦＥＴを６素子並列に使用した回路とする。電力増幅器１０は、電力増幅器１０内に入力された信号電力を、図示していない第一の増幅回路にて増幅した後に６信号に分配し、並列に配置した６つのＭＯＳ−ＦＥＴ１９Ａ，１９Ｂ，１９Ｃ，１９Ｄ，１９Ｅ，１９Ｆのそれぞれに入力し、各ＭＯＳ−ＦＥＴで増幅された信号電力を合成したのち、１信号として出力する構成である。入出力信号はＯＦＤＭ変調信号、入力信号平均電力は１ｍＷ、出力信号平均電力は１５０Ｗである。
【００２６】
以下に、各々の空冷ファンの動作状態におけるＭＯＳＦＥＴの上昇温度のデータを示す。ここで、ＭＯＳ−ＦＥＴを空冷ファン１３側から順に第１のＦＥＴ１９Ａ、第２のＦＥＴ１９Ｂ、・・・、第６のＦＥＴ１９Ｆと称す。
【００２７】
まず、ケース１として、空冷ファン１３および空冷ファン１４の動作が正常時の各ＭＯＳ−ＦＥＴの上昇温度は、第１のＦＥＴ１９Ａが１５．１℃、第２のＦＥＴ１９Ｂが１４．８℃、第３のＦＥＴ１９Ｃが１７．２℃、第４のＦＥＴ１９Ｄが１５．５℃、第５のＦＥＴ１９Ｅが１４．９℃、第６のＦＥＴ１９Ｆが１５．２℃である。
【００２８】
次に、ケース２として、空冷ファン１３の動作が停止、空冷ファン１４の動作が正常時の各ＭＯＳ−ＦＥＴの上昇温度は、第１のＦＥＴ１９Ａが２７．５℃、第２のＦＥＴ１９Ｂが２７．０℃、第３のＦＥＴ１９Ｃが２７．２℃、第４のＦＥＴ１９Ｄが２５．２℃、第５のＦＥＴ１９Ｅが２３．３℃、第６のＦＥＴ１９Ｆが２３．６℃である。
【００２９】
次に、ケース３として、ケース２における停止状態の空冷ファン１３の吐き出し口１７を遮蔽板１５で塞いだ場合の各ＭＯＳ−ＦＥＴの上昇温度は、第１のＦＥＴ１９Ａが２０．３℃、第２のＦＥＴ１９Ｂが１９．８℃、第３のＦＥＴ１９Ｃが２１．５℃、第４のＦＥＴ１９Ｄが１９．９℃、第５のＦＥＴ１９Ｅが１９．０℃、第６のＦＥＴ１９Ｆが１９．３℃である。ここで、遮蔽板１５，１６は一般的な上質紙を用いた。
【００３０】
以上より、ケース２に対するケース３の各ＭＯＳ−ＦＥＴの上昇温度の差は、第１のＦＥＴ１９Ａが−７．２℃、第２のＦＥＴ１９Ｂが−７．２℃、第３のＦＥＴ１９Ｃが−５．７℃、第４のＦＥＴ１９Ｄが−５．３℃、第５のＦＥＴ８Ｅが−４．３℃、第６のＦＥＴ８Ｆが−４．３℃であり、各ＭＯＳ−ＦＥＴの位置と空冷ファン１４の位置との関係により差はあるが、どのＭＯＳ−ＦＥＴにしても上昇温度が低下する。したがって本発明の実施の形態における効果は実証されており、非常に有効である。
【００３１】
このことからも、電力増幅器１０に備えた空冷ファンが１台停止状態となっても、従来と比較して、内部温度上昇による動作異常が発生しにくい構造を得ることができ、電力増幅器および電力増幅器を搭載するテレビジョン放送用送信機の信頼性向上には非常に有効である。
【００３２】
次に、遮蔽板の実施例の構成について説明する。図４は遮蔽板の実施例１の構成を示す複数の空冷ファンを備えた電力増幅器の実施の形態の構成図で、（ａ）側面図、（ｂ）背面図である。遮蔽板の実施例１は、使用する空冷ファン１３および空冷ファン１４の形状に合わせた遮蔽板１５，１６を、空冷ファン１３および空冷ファン１４の上部に任意の固定テープ２０にて貼り付けて固定した構造である。遮蔽板１５，１６の材質は、空冷ファン１３および空冷ファン１４から排気される風の向きおよび風量を阻害しないよう、軽量かつ遮蔽効果のあるものとする。前述の実験では一般的な上質紙を使用したが、ＯＨＰ用フィルムや発泡スチロール状のものでもよい。
【００３３】
次に、空冷ファン１３および空冷ファン１４の各動作状態における遮蔽板１５，１６の動作、効果について述べる。
【００３４】
まず、空冷ファン１３および空冷ファン１４の動作が正常時の場合は、空冷ファン１３および空冷ファン１４から排気される大気の風圧によって遮蔽板１５，１６は空冷ファンの吐き出し口面に対して垂直な状態となり、空冷ファン１３および空冷ファン１４から排気される大気の風の向き、風速および風量を阻害することはない。
【００３５】
一方、空冷ファン１３の動作が停止、空冷ファン１４の動作が正常時の場合は、空冷ファン１３の吐き出し口から大気が吸気される方向に風速が大きくなるため、遮蔽板１５と空冷ファン１３の吐き出し口との間が低圧になり、遮蔽板１５が自動的に空冷ファン１３の吐き出し口を塞ぐ。
【００３６】
同様に、空冷ファン１３の動作が正常時で、空冷ファン１４の動作が停止の場合、空冷ファン１４の吐き出し口から大気が吸気される方向に風速が大きくなるため、遮蔽板１６と空冷ファン１４の吐き出し口との間が低圧になり、遮蔽板１６が自動的に空冷ファン１４の吐き出し口を塞ぐ。
【００３７】
図５は遮蔽板の実施例２の構成を示す複数の空冷ファンを備えた電力増幅器の実施の形態の構成図で、（ａ）側面図、（ｂ）背面図である。遮蔽板の実施例２は、複数枚に分割したルーバー状遮蔽板１５−２，１６−２構造とした場合である。この場合、それぞれ分割されたルーバー状遮蔽板１５−２，１６−２の上部が支点となるように上部のみ可動できるように固定した構造とすることで、ルーバー状遮蔽板１５−２，１６−２の動作、効果は実施例１と同様に行なうことが可能である。
【００３８】
以上のように、本実施例では、空冷ファン１３および空冷ファン１４の動作状態によって、遮蔽板１５，１６およびルーバー状遮蔽板１５−１，１６−２の開閉が自動的に行なわれる構造である。
【００３９】
上記は空冷ファン１３および空冷ファン１４の空冷ファンが複数のうちの２式を備えた内蔵型について述べたが、３式、４式、と任意数の空冷ファンを備えた内蔵型にする場合に適用できることはいうまでもない。その場合も、それぞれの空冷ファンにそれぞれ遮蔽板を備える必要がある。
【００４０】
電力増幅器の正面から吸気された大気は、電力増幅器内を通過し、電力増幅器内で発生した熱を吸収した後に複数の空冷ファンにより排出されるが、本発明の実施の形態によれば、一方の空冷ファンが停止した場合に、停止した空冷ファンの吐き出し口を自動的に遮蔽することで、停止した空冷ファンから本来と逆の向きで大気が吸気されないようにすることができ、したがって一方の空冷ファンが停止した場合でも冷却効率を損ないにくい効果を得ることができる。実際、発熱素子の上昇温度を低下させる効果を確認している。
【００４１】
また、自動的に遮蔽板を開閉する動作は、センサーのような電気的な回路を構成することなく行なうことができ、非常に簡易的な構造で実現することができる。さらに、空冷ファンが１台停止状態となっても、電力増幅器の内部温度上昇を低く抑えることができるため、電力増幅器の温度上昇による動作異常が発生しにくくなり、電力増幅器および電力増幅器を搭載するテレビジョン放送用送信機の信頼性向上には非常に有効な手段となる。したがって、本来あってはならない放送停波事故の頻度を低減することに繋がる。
【図面の簡単な説明】
【００４２】
【図１】本発明による複数の空冷ファンを備えた電力増幅器の実施の形態の構成図で、複数の空冷ファンの動作が正常時の（ａ）正面図、（ｂ）平面図、（ｃ）背面図である。
【図２】本発明による複数の空冷ファンを備えた電力増幅器の実施の形態の構成図で、複数の空冷ファンのうち一方の空冷ファンの動作が停止し、他方の空冷ファンの動作が正常時の（ａ）正面図、（ｂ）平面図、（ｃ）背面図である。
【図３】参考として複数の空冷ファンを備えた電力増幅器で遮蔽版がなく且つ一方の空冷ファンの動作が停止した場合の（ａ）正面図、（ｂ）平面図、（ｃ）背面図である。
【図４】遮蔽板の実施例１の構成を示す複数の空冷ファンを備えた電力増幅器の実施の形態の構成図である。
【図５】遮蔽板の実施例２の構成を示す複数の空冷ファンを備えた電力増幅器の実施の形態の構成図である。
【図６】従来の複数の空冷ファンを備えた電力増幅器の構成図で、複数の空冷ファンの動作が正常時の（ａ）正面図、（ｂ）平面図、（ｃ）背面図である。
【図７】従来の複数の空冷ファンを備えた電力増幅器の構成図で、複数の空冷ファンのうち一方の空冷ファンの動作が停止し、他方の空冷ファンの動作が正常時の（ａ）正面図、（ｂ）平面図、（ｃ）背面図である。
【符号の説明】
【００４３】
１０：電力増幅器、１１：吸気口、１２：チャンバー、１３，１４：空冷ファン、１５，１６：遮蔽板、１５−２，１６−２：ルーバー状遮蔽板、１７，１８：空冷ファンの吐き出し口、１９Ａ，１９Ｂ，１９Ｃ，１９Ｄ，１９Ｅ，１９Ｆ：ＭＯＳ−ＦＥＴ、２０：固定テープ。
【図１】
2006261276.tif 000003
【図２】
2006261276.tif 000004
【図３】
2006261276.tif 000005
【図４】
2006261276.tif 000006
【図５】
2006261276.tif 000007
【図６】
2006261276.tif 000008
【図７】
2006261276.tif 000009